(57)【要約】【課題】ヒートアイランド対策に有効な湿潤性舗装システムの施工性および施工後の安定性を向上させる。具体的には、たとえば、給水導管と導水シートの施工を高効率かつ確実に行うことができる。【解決手段】被舗装基盤１０に形成された配管溝１２内に給水導管２０を配設し、この給水導管２０の下部に回り込んで上記配管溝１２の縁辺面部に達する第１の導水シート２１を上記配管溝１２に沿う部分に限定的に敷設するとともに、上記第１の導水シート２１の上から上記被舗装基盤１０表面を全面的に覆う第２の導水シート２２を敷設し、この第２の導水シート２２の上に透水性舗装層３０を施工する。【選択図】  図１
2005351026.tif 000002
【特許請求の範囲】
【請求項１】
被舗装基盤に形成された配管溝内に給水導管を配設し、この給水導管の下部に回り込んで上記配管溝の縁辺面部に達する第１の導水シートを上記配管溝に沿う部分に限定的に敷設するとともに、上記第１の導水シートの上から上記被舗装基盤表面を全面的に覆う第２の導水シートを敷設し、この第２の導水シートの上に透水性舗装層を施工したことを特徴とする湿潤性舗装システム。
【請求項２】
前記第１の導水シートは、その両幅端部が前記配管溝の両側縁辺面部に被さるように敷設されていることを特徴とする請求項１に記載の湿潤性舗装システム。
【請求項３】
前記第１の導水シートは、その両幅端部が重なって前記配管溝の片側縁辺面部に被さるように敷設されていることを特徴とする請求項１に記載の湿潤性舗装システム。
【請求項４】
前記配管溝が上方へ向かって拡開する略Ｖ字断面状に形成されていることを特徴とする請求項１〜３のいずれかに記載の湿潤性舗装システム。
【請求項５】
前記第１の導水シートと前記第２の導水シートの間もしくは前記第２の導水シートの上に、前記配管溝の上方に架橋状態で被さる板状部材を、その配管溝に沿って配設したことを特徴とする請求項１〜４のいずれかに記載の湿潤性舗装システム。
【請求項６】
前記板状部材が格子により形成されていることを特徴とする請求項１〜５のいずれかに記載の湿潤性舗装システム。
【請求項７】
前記板状部材は、少なくとも前記第１の導水シートもしくは前記第２の導水シートと接する側の面に、前記配管溝と交差する方向に溝条を有する形状を備えていることを特徴とする請求項１〜５のいずれかに記載の湿潤性舗装システム。
【発明の詳細な説明】
【技術分野】
【０００１】
この発明は、ヒートアイランド対策のために舗装表面を湿潤状態に保つ機能を備えた湿潤性舗装システムに関する。
【背景技術】
【０００２】
近年、ヒートアイランド対策の一環として湿潤性舗装が行われるようになってきた。この湿潤性舗装は、たとえば、歩道や遊歩道、広場や運動場、駐車場や集荷場などの舗装に適用され、その舗装面を湿潤化することにより、一種の打ち水効果により、その舗装面の温度上昇を抑制するというものである。
【０００３】
この種の湿潤性舗装システムとしては、図７の（ａ）に示すように、透水性舗装３０の下に給水導管２０と導水シート２２’を埋設したものが知られている。同図に示す湿潤性舗装システムは、地盤等の被舗装基盤１０に配管溝１２を形成するとともに、この配管溝１２が形成された被舗装基盤１０の表面を導水シート２２’で全面的に覆った後、給水導管２０を上記導水シート２２の上から、その導水シート２２’を引き込みながら上記配管溝１２に押し込んで収容し、その上に透水性舗装３０を施工する構成となっている。
【０００４】
導水シート２２’の上には透水性舗装３０が施工される。この透水性舗装３０は下地層である砂層３１と表面舗装材３２により形成され、表面舗装材３２は透水性のアスファルト舗装あるいは透水性のブロックなどにより形成される。また、この透水性舗装３０は、砂層のない湿潤性の砂入り人工芝舗装や緑化基盤であってもよい。
【０００５】
導水シート２２’は毛管導水作用を持つものであって、たとえば織布あるいは不織布などの繊維構造、あるいは微細孔組織を有する可撓性シート等が使用される。シート状のものであれば、その一部が上記給水導管２０の下に回り込んだ状態で敷設されることにより、その給水導管２０から供給された水を毛細管現象にて面状に拡散させることができる。これにより、透水性舗装３０の表面を常時適度な湿潤状態に保つことができる。
【発明の開示】
【発明が解決しようとする課題】
【０００６】
上述した従来の技術は、次のような問題点のあることが判明した。  
すなわち、図７の（ａ）に示した従来の湿潤性舗装システムでは、給水導管２０を配管溝１２内に収容する際に、導水シート２２’を配管溝１２内に押し込む必要があった。しかし、被舗装基盤１０の表面を全面的に覆っている導水シート２２’は面方向への移動がほとんど不可能であって、この面方向への移動が不可能な導水シート２２’を配管溝１２内に押し込むのは非常に困難であった。仮に、その導水シート２２’の上から給水導管２０を配管溝１２内に押し込んで収容し得たとしても、その配管溝１２が導水シート２２’の面方向の張力で浮き上がりやすく、施工の安定性に欠けるという問題があった。
【０００７】
また、上述した従来の構成では、図７の（ｂ）に示すように、給水導管２０上の砂層３１が、その給水導管２０を流れる水と一緒に徐々に流失することにより、その給水導管２０に沿って陥没が生じるといった問題のあることも判明した。砂層のない人工芝舗装等の透水性舗装３０であっても、舗装３０中に含まれる砂等の微細粒が給水導管２０を早期に目詰まりさせるといった問題が生じる。つまり、施工後の安定性が悪いという問題があった。
【０００８】
一方、上記のような構成に対し、特許文献１では、暗渠となる塩ビ管等の太径管材を使用し、この管材の頂部に沿ってスリットを適宜間隔で設けるとともに、透水製舗装の下に敷設される導水シートの端末をそのスリットから管材内に引き込むことにより、その引き込み部分から管材内の水を毛管導水作用で透水性舗装下に面状に浸透させるという構成を提示している。この構成は、砂層の流失や目詰まり対策には有効であるが、上記スリット内に導水シートを引き込むためには、非常に面倒かつ煩雑な作業が発生する。したがって、この場合も施工性が悪いという問題は生じる。
【０００９】
本発明は以上のような問題を鑑みてなされたもので、その目的とするところは、施工性および施工後の安定にすぐれた湿潤性舗装システムを提供することにある。
【特許文献１】特開２００１−８１７０９
【課題を解決するための手段】
【００１０】
本発明による解決手段は、次の（１）のとおりでする。  
（１）被舗装基盤に形成された配管溝内に給水導管を配設し、この給水導管の下部に回り込んで上記配管溝の縁辺面部に達する第１の導水シートを上記配管溝に沿う部分に限定的に敷設するとともに、上記第１の導水シートの上から上記被舗装基盤表面を全面的に覆う第２の導水シートを敷設し、この第２の導水シートの上に透水性舗装層を施工したことを特徴とする湿潤性舗装システム。
【００１１】
上記手段（１）においては、さらに次のような手段を備えることがとくに有効または望ましい。  
（２）上記手段（１）において、前記第１の導水シートは、その両幅端部が前記配管溝の両側縁辺面部に被さるように敷設されている。  
（３）上記手段（１）において、前記第１の導水シートは、その両幅端部が重なって前記配管溝の片側縁辺面部に被さるように敷設されている。  
（４）上記手段（１）〜（３）のいずれかにおいて、前記配管溝が上方へ向かって拡開する略Ｖ字断面状に形成されている。  
（５）上記手段（１）〜（４）のいずれかにおいて、前記第１の導水シートと前記第２の導水シートの間もしくは前記第２の導水シートの上に、前記配管溝の上方に架橋状態で被さる板状部材を、その配管溝に沿って配設する。
【００１２】
（６）上記手段（１）〜（５）のいずれかにおいて、前記板状部材が格子により形成されている。  
（７）上記手段（１）〜（５）のいずれかにおいて、前記板状部材は、少なくとも前記第１の導水シートもしくは前記第２の導水シートと接する側の面に、前記配管溝と交差する方向に溝条を有する形状を備えている。
【発明の効果】
【００１３】
ヒートアイランド対策に有効な湿潤性舗装システムの施工性および施工後の安定性を向上させることができる。具体的には、たとえば、給水導管と導水シートの施工を高効率かつ確実に行うことができ、また、透水性舗装の下地層を形成する砂層の流失を抑えることもできる。
【発明を実施するための最良の形態】
【００１４】
図１は、本発明による湿潤性舗装システムの第１実施形態をその要部に着目して示す。  
同図に示す湿潤性舗装システムは、たとえば、歩道や遊歩道、広場や運動場、駐車場や集荷場などの舗装に適用され、その舗装面を湿潤化することにより、その舗装面の温度上昇を抑制するというものであって、その主要部は、配管溝１２、給水導管２０、第１および第２の２種類の導水シート２１，２２を用いて構成される。
【００１５】
同図において、地盤等の被舗装基盤１０に形成された配管溝１２内には給水導管２０が配設されている。この給水導管２０の下部には第１の導水シート２１が回り込んでいる。給水導管２０は、導管２０内に送水された水をこの導管２０の外に時間をかけて少量ずつ定量に給水するように構成されている。このため、給水導管２０には、たとえば、細孔にドリッパーから定量に水を滴らせる点滴パイプや、パイプ内部にわずかな水圧をかけてパイプ表面から水を染み出させるしみ出しパイプ、定量給水可能な多孔管等を利用することができる。
【００１６】
第１の導水シート２１は毛管導水作用を持つものであって、たとえば織布あるいは不織布などの繊維構造、あるいは微細孔組織を有する可撓性シート等が使用される。第１の導水シート２１は、配管溝１２の内側面およびその周囲だけを限定的に覆うような幅サイズに形成され、その配管溝１２に沿う帯状部分だけに選択的に敷設される。この第１の導水シート２１が、上記給水導管２０の下部に回り込むとともに、その両幅端部が配管溝１２の両側縁辺面部に被さるように敷設されている。
【００１７】
第２の導水シート２２は、第１の導水シート２１と同様、毛管導水作用を持つもの、たとえば織布あるいは不織布などの繊維構造、あるいは微細孔組織を有する可撓性シートであって、上記第１の導水シート２１の上から上記被舗装基盤１０の表面を全面的に覆うように形成されている。この第２の導水シート２２が敷設された上に透水性舗装３０が施工されている。
【００１８】
透水性舗装３０は下地層である砂層３１と表面舗装材３２等により形成されている。表面舗装材３２は透水性のアスファルト舗装あるいは透水性のブロックなどにより形成されている。
【００１９】
上記構成によれば、配管溝１２内の給水導管２０から少量ずつ定量供給された水が、その給水導管２０の下に回り込んでいる第１の導水シート２１に吸水される。ここで吸水された水は、毛細管現象により、その第１の導水シート２１を面方向に浸透してその第１の導水シート２１の両幅端部すなわち配管溝１２の両側縁辺面部に達する。
【００２０】
第１の導水シート２１の両幅端部に達した水は、その上に被さっている第２の導水シート２２に吸水される。そして、その第２の導水シート２１を面方向に浸透して拡散することにより、透水性舗装３０の下部全体に行きわたるようになる。このようにして面方向に拡散させられた水により、透水性舗装３０の表面が湿潤状態に保たれるようになる。
【００２１】
また、給水導管２０と上記砂層３１の間には第２の導水シート２２が介在するが、これにより、その給水導管２０を流れる水によって砂層３１の砂が流失するのを抑えることができる。
【００２２】
図２は、図１に示した湿潤性舗装の施工手順の実施形態を示す。上述した湿潤性舗装の施工に際しては、まず、同図の（ａ）に示すように、被舗装基盤１０に形成された配管溝１２上に第１の導水シート２１を敷設する。このあと、給水導管２０を、第１の導水シート２１の中央幅部分と共に配管溝１２内に押し込んで収容させる。
【００２３】
このとき、第１の導水シート２１は、配管溝１２に沿う所定幅で限定的に敷設されていることにより、その表面方向に比較的容易に移動してその中央幅部分が配管溝１２内に引き込まれる。これにより、給水導管２０を、その下の第１の導水シート２１の中央幅部分と共に、配管溝１２内に容易に収容させることができるとともに、その収容状態を安定に固定させることができる。
【００２４】
このあと、同図の（ｂ）に示すように、上記第１の導水シート２１の上から第２の導水シート２２を敷設する。この第２の導水シート２２は前述したように、被舗装基盤１０の表面を全面的に覆うように形成されている。
【００２５】
最後に、同図の（ｃ）に示すように、上記第２の導水シート２２の上に、砂層３１と透水性の表面舗装材３２等からなる透水性舗装３０を施工することにより、ヒートアイランド対策に有効な湿潤性舗装が完成する。
【００２６】
上述したように、本発明に係る湿潤性舗装システムは、給水導管２０と導水シート２１，２２の施工を効率良く安定に行うことができるとともに、透水性舗装の下地層を形成する砂層３１の流失を抑えるのに有効である。したがって、施工性および施工後の安定にすぐれている。
【００２７】
図３は、本発明による湿潤性舗装システムの第２実施形態をその要部に着目して示す。上述した第１実施形態との相違に着目すると、この第２実施形態においては、第１の導水シート２１の両幅端部が重なって配管溝１２の片側縁辺面部に被さるように敷設されている。
【００２８】
この第２の実施形態は、湿潤性舗装３０の縁端部に近い場所に給水導管２０を布設するような場合に適している。この場合、第１の導水シート２１が重なっている側の面への浸透拡散が選択的に多く行われることにより、その反対側の縁端部への過剰な浸透拡散を程よく制御することができる。
【００２９】
また、給水導管２０と第１の導水シート２１間の接触面積を大きくして、その第１の導水シート２１での導水効果を高めるという効果も得られる。さらに、この第２実施形態では、給水導管２０と砂層３１の間に、第１と第２の導水シート２１，２２が二重に介在するが、これにより、その砂層３１の流失を一層効果的に抑えることができる。したがって、この第２の実施形態は、湿潤性舗装３０の縁端部に近い場所に適用して有効であるが、その縁端部以外の場所に適用して有効である。
【００３０】
図４の（ａ）および（ｂ）はそれぞれ、本発明による湿潤性舗装システムの第３実施形態をその要部に着目して示す。この第３実施形態では、同図の（ａ）または（ｂ）に示すように、配管溝１２の上方に架橋状態で被さる板状部材２６を、その配管溝１２に沿って配設したことを特徴とする。
【００３１】
これにより、砂層３１の流失を一層効果的に抑えることができるとともに、配管溝１２の上方に局部的な陥没あるいは局部的な構造的弱点が生じるのを確実に防止することができる。
【００３２】
この場合、板状部材２６は、同図の（ａ）に示すように、第１の導水シート２１と第２の導水シート２２の間に設けるとよい。また、同図の（ｂ）に示すように、第２の導水シート２２の上に設けてもよい。
【００３３】
図５は、本発明による湿潤性舗装システムの第３実施形態をその要部に着目して示す。この第４実施形態では、配管溝１２が上方へ向かって拡開する略Ｖ字断面状に形成されていることを特徴とする。
【００３４】
これにより、給水導管２０および第１の導水シート２１の敷設をさらに容易かつ安定に行うことができるようになる。また、配管溝１２をＶ字断面状とすることにより、第１の導水シート２１の折曲がり角が緩やかになるが、これにより、その第１の導水シート２１が仮に可撓性の低いシートすなわち曲げにくいものであっても、それに拘わらず、その第１の導水シート２１を効率良く安定に敷設・施工することができる。したがって、第１の導水シート２１には、たとえば導水効果を増すために厚み等を大きくしたものなどを使用することができる。
【００３５】
また、Ｖ字断面状の配管溝１２は、これをセメントやコンクリートの型打ちによって施工する際に、型抜きがしやすいため、施工性が良いという利点も得られる。
【００３６】
図６は、第１と第２の導水シート２１，２２間に配設する板状部材２６の実施形態を示す。前述した板状部材２６は、通常の扁平な無垢板材であってもよいが、たとえば、同図の（ａ）に示すように、横材２６１と縦材２６２を組み合わせた格子であってもよい。横材２６１および縦材２６２としては、たとえば鉄骨等に使用されているような棒材あるいは線材あるいは繊維強化樹脂等が使用できる。
【００３７】
これにより、第１の導水シート２１と第２の導水シート２２間での導水効率を高めることができる。また、格子による板状部材２６は、配管溝１２と直交する横材２６１を下に配置することにより、その配管溝１２と直交する方向（矢印方向）への導水・拡散効率を高めることができる。
【００３８】
また、上記板状部材２６は、同図の（ｂ）に示すように、少なくとも前記第１の導水シート２１と接する側の面に、配管溝１２と直交（あるいは適宜の角度で交差）する方向（矢印方向）に溝条２６３を有する無垢板であっても良い。この場合も、配管溝１２と直交する方向への導水・拡散効率を高めることができる。
【００３９】
以上、本発明をその代表的な実施形態に基づいて説明したが、本発明は上述した以外にも種々の態様が可能である。たとえば、本発明は、地盤上に施工される湿潤性舗装に限らず、たとえばビル等の屋内、屋上、高架道路、人工地盤等に施工される湿潤性舗装、および、同様の給水構造を持つ緑化基盤、砂入り人工芝などの透水性舗装にも適用可能である。
【産業上の利用可能性】
【００４０】
ヒートアイランド対策に有効な湿潤性舗装システムの施工性および施工後の安定性を向上させることができる。具体的には、たとえば、給水導管と導水シートの施工を高効率かつ確実に行うことができ、また、透水性舗装の下地層を形成する砂層の流失を抑えることもできる。
【図面の簡単な説明】
【００４１】
【図１】本発明による湿潤性舗装システムの第１実施形態をその要部に着目して示す断面図である。
【図２】図１に示した湿潤性舗装の施工手順の実施形態を示す断面図である。
【図３】本発明による湿潤性舗装システムの第２実施形態をその要部に着目して示す断面図である。
【図４】本発明による湿潤性舗装システムの第３実施形態をその要部に着目して示す断面図である。
【図５】本発明による湿潤性舗装システムの第４実施形態をその要部に着目して示す断面図である。
【図６】第１と第２の導水シート間に配設する板状部材の実施形態を示す斜視図である。
【図７】従来の湿潤性舗装システムの要部を示す断面図である。
【符号の説明】
【００４２】
１０  被舗装基盤（地盤等）
１２  配管溝
２０  給水導管
２１  第１の導水シート
２２  第２の導水シート
２２’  導水シート（従来）
３０  透水性舗装
３１  砂層
３１  表面舗装材（アスファルト舗装やブロック等）
２６  板状部材
２６１  横材
２６２  縦材
２６３  溝条
【図１】
2005351026.tif 000003
【図２】
2005351026.tif 000004
【図３】
2005351026.tif 000005
【図４】
2005351026.tif 000006
【図５】
2005351026.tif 000007
【図６】
2005351026.tif 000008
【図７】
2005351026.tif 000009